(57)【要約】【課題】パッキンやシールを用いなくとも雨水などが流入しない屋外設置型温水器の筐体を提供する。【解決手段】前面に上側扉２と下側扉３とを備えた上下２分割の扉４を有し、上側扉２の下部の裏面に上側扉２の前面からコーナにかけて連続して形成される密着裏面２１と、下側扉３の上部の表面に下側扉３の前面からコーナにかけて連続して形成される密着表面３１と、下側扉３の表面と密着表面３１との間にあって、密着裏面２１の下方縁部と合致するように形成され、下側扉３の表面に対してその裏面方向の段差３４とを備え、密着裏面２１を密着表面３１に被せて重ね合わせることによって、屋外設置型温水器１００の筐体１を密閉する。段差３４は上側扉２の板厚以下とし、密着表面３１には、密着表面３１から密着裏面２１に向って突出した突出部３５を備えている。【選択図】図２
2007155140.tif 000002
【特許請求の範囲】
【請求項１】
前面に上側扉と下側扉とを備えた上下２分割の扉を有し、前記上側扉の下部を前記下側扉の上部に被せて重ね合わせることによって密閉する屋外設置型温水器の筐体であって、
前記上側扉の下部の裏面に前記上側扉の前面からコーナにかけて連続して形成される密着裏面と、
前記下側扉の上部の表面に前記下側扉の前面からコーナにかけて連続して形成される密着表面と、
前記下側扉の表面と前記密着表面との間にあって、前記密着裏面の下方縁部と対応するように形成され、前記下側扉の表面に対してその裏面方向の段差と
を備え、
前記密着裏面を前記密着表面に被せて重ね合わせることによって、前記筐体を密閉することを特徴とする屋外設置型温水器の筐体。
【請求項２】
前面に上側扉、下側扉、および前記上側扉と前記下側扉との間に少なくとも１枚以上の中間扉とを備え、前記上側扉の下部を前記中間扉の上部に被せて重ね合わせ、前記中間扉の下部を、その下に前記中間扉がある場合は前記中間扉の上部に、または、前記中間扉がない場合は前記下側扉の上部に被せて重ね合わせることによって密閉する屋外設置型温水器の筐体であって、
前記上側扉および前記中間扉の下部の裏面に、前記上側扉および前記中間扉の前面からコーナにかけて連続して形成される密着裏面と、
前記中間扉および前記下側扉の上部の表面に、前記中間扉および前記下側扉の前面からコーナにかけて連続して形成される密着表面と、
前記中間扉および前記下側扉の表面と、前記中間扉および前記下側扉の上部の前記密着表面との間にあって、前記上側扉および前記中間扉の下部の前記密着裏面の下方縁部と対応するように形成され、前記中間扉および前記下側扉の表面に対してその裏面方向の段差と
を備え、
前記密着裏面を前記密着表面に被せて重ね合わせることによって、前記筐体を密閉することを特徴とする屋外設置型温水器の筐体。
【請求項３】
前記段差は、前記上側扉および前記中間扉の板厚以下であることを特徴とする請求項１または請求項２に記載の屋外設置型温水器の筐体。
【請求項４】
前記密着表面には、前記密着表面から前記密着裏面に向って突出した突出部を備え、前記突出部が前記密着裏面を押圧するように接触していることを特徴とする請求項１または請求項２に記載の屋外設置型温水器の筐体。
【請求項５】
前記突出部は、前記密着表面の長手方向の端部を前記密着裏面に向って折り曲げられて形成されていることを特徴とする請求項４に記載の屋外設置型温水器の筐体。
【発明の詳細な説明】
【技術分野】
【０００１】
本発明は、屋外設置型温水器の筐体に関し、特に、温水回路内を流れる循環液を加熱する屋外設置型温水器の筐体に関する。
【背景技術】
【０００２】
エコキュートや電気温水器では、燃焼用の空気の取り入れ口は必要としないが、メンテナンスなどで外装筐体の扉を開閉する必要である。このため、扉は開閉可能に取り付けられており、扉の開閉継ぎ目からの雨水の浸入を防止するため、段突き曲げ部を前面に設けたり、コーナにはシールなどを用いて雨水の浸入を防止している（例えば、特許文献１参照）。
【０００３】
図４は、従来の電気温水器に取り付けられた前扉を示す斜視図である。図４の（ａ）は電気温水器の筐体の全体概略図、図４の（ｂ）は筐体の前扉を示す斜視図、図４の（ｃ）は、（ｂ）に示すＧ部を拡大した分解斜視図、図４の（ｄ）は他の形態を示すＧ部を拡大した分解斜視図である。
図４の（ａ）に示すように、電気温水器１０１の前面には上側前扉１０２と下側前扉１０３とに分割した前扉１０４が設けられている。
図４の（ｂ）に示すように、この前扉１０４は、前面から側面に廻り込んでコーナを形成している。
図４の（ｃ）に示すように、前面には段付き曲げ部を設けて上側前扉１０２と下側前扉１０３との境目からの雨水の浸入を防止している。コーナは、シール材を埋め込んで雨水の浸入を防止している。
この前扉１０４は、上側前扉１０２の下部と、下側前扉１０３の上部を密接させてネジで筐体１０１に固定されている。
図４の（ｄ）に示すように、前面には段付き曲げ部を設けていない場合もあり、不図示のパッキンなどを介在させて、上側前扉１０２と下側前扉１０３との境目からの雨水の浸入を防止している。
【特許文献１】特開２００４−１０８６６９号公報（段落番号「００２１〜２２」、図６）
【発明の開示】
【発明が解決しようとする課題】
【０００４】
しかしながら、上側前扉１０２と下側前扉１０３との重ね合せ部を機器内側に曲げた場合、雨水が浸入しやすく、例えば、正面側の段曲げ部からは、雨水が浸入しにくいが、コーナの段曲げ部が無いところには、パッキンやシールを用いているが必ずしも完璧には浸入を防止できないという問題があった。
また、機器内側に曲げた端面が機器内のリード配線を損傷させる恐れがあり、保護用テープ１０２ａを端面に貼付しなければならないという問題があった。
【０００５】
本発明は、前記問題を解決するために創案されたものであり、パッキンやシールを用いなくとも雨水などが流入せず、さらに、保護用テープを端面に貼る必要もない屋外設置型温水器の筐体を提供することを課題とする。
【課題を解決するための手段】
【０００６】
前記課題を解決するために、請求項１に係る屋外設置型温水器（１００）の筐体（１）は、前面に上側扉（２）と下側扉（３）とを備えた上下２分割の扉（４）を有し、前記上側扉（２）の下部を前記下側扉（３）の上部に被せて重ね合わせることによって密閉する屋外設置型温水器（１００）の筐体（１）であって、前記上側扉（２）の下部の裏面に前記上側扉（２）の前面からコーナにかけて連続して形成される密着裏面（２１）と、前記下側扉（３）の上部の表面に前記下側扉（３）の前面からコーナにかけて連続して形成される密着表面（３１）と、前記下側扉（３）の表面と前記密着表面（３１）との間にあって、前記密着裏面（２１）の下方縁部と対応するように形成され、前記下側扉（３）の表面に対してその裏面方向の段差（３４）とを備え、前記密着裏面（２１）を前記密着表面（３１）に被せて重ね合わせることによって、前記筐体（１）を密閉することを特徴とする。
【０００７】
請求項２に係る発明は、前面に上側扉（２′）、下側扉（３′）、および前記上側扉（２′）と前記下側扉（３′）との間に少なくとも１枚以上の中間扉（６）とを備え、前記上側扉（２′）の下部を前記中間扉（６）の上部に被せて重ね合わせ、前記中間扉（６）の下部を、その下の前記中間扉（６）がある場合は前記中間扉の上部に、または、前記中間扉がない場合は前記下側扉（３′）の上部に被せて重ね合わせることによって密閉する屋外設置型温水器（１００′）の筐体（１′）であって、前記上側扉（２′）および前記中間扉（６）の下部の裏面に、前記上側扉（２′）および前記中間扉（６）の前面からコーナにかけて連続して形成される密着裏面（２１′）と、前記中間扉（６）および前記下側扉（３′）の上部の表面に、前記中間扉（６）および前記下側扉（３′）の前面からコーナにかけて連続して形成される密着表面（６１）と、前記中間扉（６）および前記下側扉（３′）の表面と、前記中間扉（６）および前記下側扉（３′）の上部の前記密着表面（６１）との間にあって、前記上側扉（２′）および前記中間扉（６）の下部の前記密着裏面（２１′）の下方縁部と対応するように形成され、前記中間扉（６）および前記下側扉（３′）の表面に対してその裏面方向の段差（３４）とを備え、前記密着裏面（２１′）を前記密着表面（６１）に被せて重ね合わせることによって、前記筐体（１′）を密閉することを特徴とする。
【０００８】
請求項３に係る発明は、請求項１または請求項２に記載の屋外設置型温水器（１００，１００′）の筐体（１，１′）であって、前記段差（３４）は、前記上側扉（２，２′）および前記中間扉（６）の板厚以下であることを特徴とする。
【０００９】
請求項４に係る発明は、請求項１または請求項２に記載の屋外設置型温水器（１００，１００′）の筐体（１，１′）であって、前記密着表面（３１，３１′）には、前記密着表面（３１，３１′）から前記密着裏面（２１，２１′）に向って突出した突出部（３５）を備え、前記突出部（３５）が前記密着裏面（２１，２１′）を押圧するように接触していることを特徴とする。
【００１０】
請求項５に係る発明は、請求項４に記載の屋外設置型温水器（１００）の筐体（１）であって、前記突出部（３５）は、前記密着表面（３１）の長手方向の端部を前記密着裏面（２１）に向って折り曲げられて形成されていることを特徴とする。
【発明の効果】
【００１１】
請求項１に係る発明によれば、密着裏面と密着表面とが、扉の前面からコーナにかけて連続して形成されているため、パッキンやシールを用いなくとも雨水などが流入せず、さらに、機器内のリード配線を損傷させることがないため、保護用テープを端面に貼る必要もない屋外設置型温水器の筐体を提供することができる。
【００１２】
請求項２に係る発明によれば、前面に上側扉と下側扉と少なくとも１枚以上の中間扉とを備えた場合でも、密着裏面と密着表面とが、扉の前面からコーナにかけて連続して形成されているため、パッキンやシールを用いなくとも雨水などが流入せず、さらに、機器内のリード配線を損傷させることがないため、保護用テープを端面に貼る必要もない屋外設置型温水器の筐体を提供することができる。
【００１３】
請求項３に係る発明によれば、段差を上側扉および中間扉の板厚以下としたため、上側扉と下側扉、上側扉と中間扉、または中間扉と下側扉の密着性が向上し、パッキンやシールを用いなくとも雨水などの流入のない屋外設置型温水器の筐体を提供することができる。さらに、上側に位置する扉が下側に位置する扉の庇となって、雨水などの流入防止の効果を奏している。
【００１４】
請求項４に記載の発明によれば、密着表面には、密着表面から密着裏面に向って突出した突出部を備え、この突出部が密着裏面を押圧するように接触しているため、パッキンやシールを用いなくとも雨水などの流入のない屋外設置型温水器の筐体を提供することができる。
【００１５】
請求項５に記載の発明によれば、突出部は、密着表面の長手方向の端部を密着裏面に向って折り曲げられて形成されているため、強く密閉されて、パッキンやシールを用いなくとも雨水などの流入のない屋外設置型温水器の筐体を提供することができる。
【発明を実施するための最良の形態】
【００１６】
＜第１の実施形態＞
本発明の第１の実施形態に係る屋外設置型温水器の筐体について、図面を参照して説明する。
図１の（ａ）は、第１の実施形態に係る屋外設置型温水器の筐体の概略を示す斜視図であり、図１の（ｂ）は筐体の扉の斜視図、図１の（ｃ）は（ｂ）に示すＡ部を拡大した分解斜視図である。
【００１７】
図１の（ａ）（ｂ）に示すように、屋外設置型温水器１００は、略箱形の筐体１を備え、この筐体１の前面に上側扉２と下側扉３とに分割された上下２分割の扉４が設けられている。
【００１８】
図１の（ｃ）に示すように、この扉４には、上側扉２の下部を、下側扉３の上部に被せて、互いに密着させて重ね合わせることによって筐体１を密閉する密閉領域５が形成されている。
この密閉領域５は、前面を密閉する前面密閉領域５１と、前面密閉領域５１から筐体１の側面に廻り込んでコーナを形成して、このコーナを密閉するコーナ密閉領域５２とから構成されている。
また、前面密閉領域５１からコーナ密閉領域５２は、上側扉２の前面下部の裏面に備えた上側扉２の密着裏面２１と、下側扉３の前面上部の表面に備えた下側扉３の密着表面３１とから構成されている。
【００１９】
図２の（ａ）は、扉の密閉領域を説明するための、図１の（ｂ）に示すＡ部の拡大斜視図である。図２の（ｂ）は（ａ）に示す扉の正面（Ｂ矢視）図であり、図２の（ｃ）は右側面（Ｃ矢視）図である。
図２の（ａ）（ｂ）（ｃ）に示すように、前記した前面密閉領域５１は、上側扉２の前面下部の裏面に備えた、上側扉２の前面密着面２１ａと、下側扉３の前面上部の表面に備えた、下側扉３の前面密着面３１ａとを形成している。
また、前記したコーナ密閉領域５２は、上側扉２のコーナ下部の裏面に備えた上側扉２のコーナ密着面２１ｂと、下側扉３のコーナ上部の表面に備えた下側扉３のコーナ密着面３１ｂとを形成している。
【００２０】
すなわち、扉４を閉じて筐体１を密閉するために、上側扉２の前面密着面２１ａから上側扉２のコーナ密着面２１ｂまで連続して形成される密着裏面２１と、下側扉３の前面密着面３１ａから下側扉３のコーナ密着面３１ｂまで連続して形成される密着表面３１が形成されている。
この下側扉の表面３２と密着表面３１との間には、下側扉３の表面３２に対してその裏面方向に設けられた上側扉２の略板厚分の段差３４が形成されており、この段差３４は、密着裏面２１の下方縁部と合致するように形成されているが、厳密に合致している必要はなく、密着裏面２１の下方縁部に対して形状が対応していればよく、取っ手などによって部分的に合致しない箇所があっても構わない。なお、上側扉２の板厚は１．０ｍｍであり、上側扉２の表面が下側扉３の表面より凹とならないように組み込まれる必要があり、段差３４は、この上側扉２の板厚よりわずかに小さくするのが好ましい。このため、段差３４を０．８〜１.０ｍｍとしている。上側扉２の表面２２が、下側扉３の表面３２より、わずかでも張り出すことによって、雨水などの浸入を防止するための庇としての効果を奏している。
なお、下側扉３の下部と筐体１との間の密閉領域は、前記した密閉領域５の構造と同様の構成としているが、上側扉２の上部と筐体１との間にも、筐体１側に前記した密閉領域５の構造と同様の構成とすることができる小扉、または小カバーを設けて、前記した密閉領域５の構造と同様の構成を適用しても構わない。
【００２１】
次に、本実施の形態に係る屋外設置型温水器の筐体の扉を取り付ける動作を説明する。
図２の（ｄ）（ｅ）は図２の（ｂ）に示すＤ−Ｄ線の断面図である。
図２の（ｄ）に示すように、扉４を閉じて筐体１を密閉するために、密着裏面２１を、密着表面３１に被せるように重ね合わせる。このとき、上側扉２の板厚１ｍｍに対して、段差３４は０．８〜１.０ｍｍであり、下側扉３の段差３４に上側扉２の端部を載せるようにして、筐体１にネジで固定する。
【００２２】
これによって、扉を閉じて筐体を密閉するためにパッキンやシールを用いなくとも雨水などが流入せず、さらに、機器内のリード配線を損傷させることがないため、保護用テープを端面に貼る必要もない屋外設置型温水器の筐体を提供することができる。
【００２３】
＜第２の実施形態＞
本発明の第２の実施形態に係る屋外設置型温水器の筐体について、図面を参照して説明する。第２の実施形態が、前記した第１の実施形態と異なる点は、第１の実施形態では、上下に２分割の扉で説明したが、第２の実施形態では、上側扉と下側扉との間に少なくとも１枚以上の中間扉を設けて３分割以上の扉とした点であり、中間扉の上部は下側扉の上部と同じ構造で、中間扉の下部は上側扉の下部と同じ構造としている。
なお、第１の実施形態と重複する部分は同符号を付して、その説明は省略する。
【００２４】
図３の（ａ）は、第２の実施形態に係る屋外設置型温水器の筐体の概略を示す斜視図であり、図３の（ｂ）は筐体の扉の斜視図、図３の（ｃ）は（ｂ）に示すＥ部を拡大した分解斜視図、図３の（ｄ）は（ｂ）に示すＦ部を拡大した分解斜視図である。
【００２５】
図３の（ａ）（ｂ）に示すように、屋外設置型温水器１００′の筐体１′は、前面に上側扉２′、下側扉３′、および１枚の中間扉６とを備えている。上側扉２′の下部を中間扉６の上部に被せて重ね合わせ、中間扉６の下部をその下の下側扉３′の上部に被せて重ね合わせることによって密閉している。
なお、複数枚の中間扉６を設けて、中間扉６の下部をその下の中間扉６の上部に被せて重ね合わせることによって密閉することもできる。
このように、中間扉を１枚設けて３分割の扉４′について説明しているが、必要に応じて多分割にして、中間扉の枚数を増やしてもよい。
【００２６】
図３の（ｃ）（ｄ）に示すように、この扉４′には、上側扉２′の下部を中間扉６の上部に被せるとともに、中間扉６の下部を下側扉３′の上部に被せて、互いに密着させて重ね合わせることによって筐体１′を密閉する密閉領域５が形成されている。
この密閉領域５は、前面を密閉する前面密閉領域５１と、前面密閉領域５１から筐体１の側面に廻り込んでコーナを形成して、このコーナを密閉するコーナ密閉領域５２とから構成されている。
また、前面密閉領域５１からコーナ密閉領域５２は、上側扉２′の前面下部の裏面に備えた密着裏面２１′と、中間扉６の前面上部の表面に備えた中間扉６の密着表面６１とから構成されるとともに、中間扉６の前面下部の裏面に備えた密着裏面６２と、下側扉３′の前面上部の表面に備えた密着表面３１′とから構成される。
【００２７】
上側扉２′の下部の裏面には、密着裏面２１′が、上側扉２′の前面からコーナにかけて連続して形成されている。
中間扉６の上部の表面には、密着表面６１が、中間扉６の前面からコーナにかけて連続して形成されている。
中間扉６の上部には、中間扉６の表面と密着表面６１との間に、上側扉２′の下部の密着裏面２１′の下方縁部と対応するように、中間扉６の表面に対してその裏面方向に段差３４（図２の（ｄ）参照）が設けられている。
【００２８】
また、中間扉６の下部の裏面には、密着裏面６２が、中間扉６の前面からコーナにかけて連続して形成されている。
下側扉３′の上部の表面には、密着表面３１′が、下側扉３′の前面からコーナにかけて連続して形成されている。
下側扉３′の上部には、下側扉３′の表面と密着表面３１′との間に、中間扉６の下部の密着裏面６２の下方縁部と対応するように、下側扉３′の表面に対してその裏面方向に段差３４（図２の（ｄ）参照）が設けられている。
【００２９】
このような構成において、上側扉２′の下部の密着裏面２１′を、中間扉６の上部の密着表面６１に被せて重ね合わせるとともに、中間扉６の下部の密着裏面６２を、下側扉３′の上部の密着表面３１′に被せて重ね合わせることによって、筐体１′を密閉している。
また、筐体１′の扉４′を３分割して、上側扉２′と下側扉３′との間に中間扉６を備え、均等に３分割しているが、必ずしも均等に分割する必要はない。
このように、扉を閉じて筐体を密閉するためにパッキンやシールを用いなくとも雨水などが流入せず、さらに、機器内のリード配線を損傷させることがないため、保護用テープを端面に貼る必要もない屋外設置型温水器の筐体を提供することができる。
【００３０】
＜第３の実施形態＞
本発明の第３の実施形態に係る屋外設置型温水器の筐体について、図面を参照して説明する。第３の実施形態が、前記した第１の実施形態と異なる点は、第３の実施形態では、密着表面３１（図２の（ｆ））の端部に、密着表面３１から密着裏面２１（図２の（ｆ））に向って突出した突出部３５（図２の（ｆ））を備えた点である。なお、第１の実施形態と重複する部分は同符号を付して、その説明は省略する。
図２の（ｆ）は、第３の実施形態に係る筐体の扉の概略を示す断面図であり、図２の（ｂ）に示すＤ−Ｄ線の断面図である。
【００３１】
図２の（ｆ）に示すように、密着表面３１には、密着表面３１から密着裏面２１に向って突出した突出部３５を備え、突出部３５が密着裏面２１を押圧するように接触している。
【００３２】
突出部３５は、密着表面３１の長手方向の端部を密着裏面２１に向って折り曲げられて形成されている。
このように、密着裏面２１と密着表面３１との間に積極的に隙間を設けたことにより、毛細管現象による雨水の浸入が無く、パッキンやシールを用いなくとも雨水などが流入せず、さらに、機器内のリード配線を損傷させることがないため、保護用テープを端面に貼る必要もない屋外設置型温水器の筐体を提供することができる。
【００３３】
以上、好ましい実施の形態について説明したが、本発明は前記実施の形態に限定されるものではなく、本発明の要旨を逸脱することのない範囲内において適宜の変更が可能である。例えば、本実施の形態では、扉の固定方法をネジ止めとしているが、扉の左右上下のいずれかに蝶番を取り付けた回動式の扉にも適用できる。
【図面の簡単な説明】
【００３４】
【図１】（ａ）は、第１の実施形態に係る屋外設置型温水器の筐体の概略を示す斜視図であり、（ｂ）は筐体の扉の斜視図、（ｃ）は（ｂ）に示すＡ部を拡大した分解斜視図である。
【図２】（ａ）は、図１の（ｂ）に示すＡ部の拡大斜視図、（ｂ）は（ａ）に示す扉の正面（Ｂ矢視）図、（ｃ）は側面（Ｃ矢視）図、（ｄ）（ｅ）は（ｂ）に示すＤ−Ｄ線の断面図、（ｆ）は、第３の実施形態に係る筐体の扉の概略を示す断面図であり、（ｂ）に示すＤ−Ｄ線の断面図である。
【図３】（ａ）は第２の実施形態に係る電気温水器の前扉の概略を示す斜視図であり、（ｂ）は筐体の前扉を示す斜視図、（ｃ）（ｄ）は（ｂ）に示すＥ部、Ｆ部を拡大した分解斜視図である。
【図４】（ａ）は従来例に係る電気温水器の前扉の概略を示す斜視図であり、（ｂ）は筐体の前扉を示す斜視図、（ｃ）（ｄ）は（ｂ）に示すＥ部を拡大した分解斜視図である。
【符号の説明】
【００３５】
１,１′  筐体
２,２′  上側扉
３,３′  下側扉
４,４′  扉
５      密閉領域
６      中間扉
２１,２１′    密着裏面
２１ａ  上側扉の前面密着面
２１ｂ  上側扉のコーナ密着面
２２    上側扉の表面
３１,６１    密着表面
３１ａ  下側扉の前面密着面
３１ｂ  下側扉のコーナ密着面
３２    下側扉の表面
３３    面取り
３４    段差
３５    突出部
５１    前面密閉領域
５２    コーナ密閉領域
１００,１００′  屋内設置型温水器
【図１】
2007155140.tif 000003
【図２】
2007155140.tif 000004
【図３】
2007155140.tif 000005
【図４】
2007155140.tif 000006